(57)【要約】      （修正有）【課題】優れた清掃性機能を有し、かつこの清掃性機能低下の度合いを的確に捉えてブラシの交換時期を容易に判断することができるインジケータ機能を備えたブラシ用毛材およびこのブラシ用毛材を使用したブラシの提供。【解決手段】合成樹脂モノフィラメントのカットブリッスルからなるブラシ用毛材であって、前記カットブリッスルはサイド・バイ・サイド型、縞状の多重並列型および放射状型から選ばれた複数の単位断面要素を有する複合構造からなり、先割れ評価試験による先割れ回数が１００００〜７００００回の範囲にあることを特徴とするブラシ用毛材。【選択図】図１
2009028399.tif 000002
【特許請求の範囲】
【請求項１】
合成樹脂モノフィラメントのカットブリッスルからなるブラシ用毛材であって、前記カットブリッスルはサイド・バイ・サイド型、縞状の多重並列型および放射状型から選ばれた複数の単位断面要素を有する複合構造からなり、下記の先割れ評価試験により評価した先割れ回数が１００００〜７００００回の範囲にあることを特徴とするブラシ用毛材。
［先割れ評価試験］一辺が２０ｍｍのＡＢＳ製板片に６４箇所の植毛孔を設けた基台を準備し、この基台の植毛孔に前記ブラシ用毛材を２０本／孔の密度で植毛してブラシを作成する。その後、幅０．５ｍｍかつ深さ１ｍｍの溝を６本／ｃｍ有する金属板の表面に前記ブラシを垂直荷重３５０ｇで押し当て、前記溝に対して垂直な方向に振幅４０ｍｍかつ速度１８０往復／分でブラシを摺動させ、植毛した全ブラシ用毛材の５０％以上の毛先に先割れが生じた時点の摺動回数を先割れ回数とする。
【請求項２】
前記カットブリッスルが２〜８個の単位断面要素を有する複合構造からなることを特徴とする請求項１に記載のブラシ用毛材。
【請求項３】
前記単位断面要素のうち少なくとも１つが他の単位断面要素とは異なる合成樹脂からなることを特徴とする請求項１または２に記載のブラシ用毛材。
【請求項４】
前記単位断面要素のうち少なくとも１つが他の単位断面要素とは異なる色に着色されていることを特徴とする請求項１〜３のいずれか１項に記載のブラシ用毛材。
【請求項５】
前記カットブリッスルの少なくとも一端がテーパー状に形成されていることを特徴とする請求項１〜４のいずれか１項に記載のブラシ用毛材。
【請求項６】
請求項１〜５のいずれか１項に記載のブラシ用毛材を毛材の少なくとも一部に使用したことを特徴とするブラシ。
【請求項７】
歯ブラシであることを特徴とする請求項６に記載のブラシ。
【発明の詳細な説明】
【技術分野】
【０００１】
本発明は、優れた清掃性機能を有し、かつこの清掃性機能低下の度合いを的確に捉えてブラシの交換時期を容易に判断することができるインジケータ機能を備えたブラシ用毛材およびこのブラシ用毛材を使用したブラシに関するものである。
【背景技術】
【０００２】
従来からブラシ用毛材には、安価で容易に加工できることから合成樹脂モノフィラメントが使用されている。
【０００３】
特に近年では、ブラシに様々な機能が要求されてきており、ブラシに使用される毛材にも様々な形態や機能を持つものが提案されている。
【０００４】
例えば、毛先をテーパー状に加工した歯ブラシ用毛材（例えば、特許文献１参照）は、毛先が歯間に入りやすいために狭い部分の歯垢を落としやすく、また触感性にも優れているために歯茎へのマッサージ効果が得られるなど、従来の歯ブラシ用毛材にはない特異的な機能を発揮するものであった。
【０００５】
また、清掃性機能を高めることを目的として、毛先が複数に分岐され、且つテーパー状に加工された毛材（例えば、特許文献２参照）、芯鞘複合構造の毛材をテーパー状に加工し、毛先において芯部を露出せしめた毛材（例えば、特許文献３参照）、クリンプ（波状）加工が施されたテーパー状の毛材（例えば、特許文献４参照）などがこれまでに報告されている。
【０００６】
しかし、いかに清掃性の高い毛材を使用したとしても、その使用方法や使用状況によって毛材の耐久性は大きく変わる。その例として歯ブラシがある。歯ブラシは、使用を続けていくと毛開きや摩耗などが生じるため、通常ならば１〜２ヶ月で交換する場合が多い。しかし、歯ブラシの利用者によっては、力を入れて歯磨きする人もあれば、短時間で歯磨きを済ませる人がいるなど、個人によって磨き方に差があり、その結果、歯ブラシを半月で交換する人もいれば、３〜４ヶ月で交換する人もおり、ブラシ交換時期を適正に判断して使用している利用者は少ない。
【０００７】
特に同じ歯ブラシを長期間使用する人の中には、歯ブラシが毛開きや摩耗して、既に清掃性機能が低下している状態にあるに関わらず使用を続けている人がいるため、日常的に歯を磨いていても歯周病や歯肉炎などの病気を患う人が多い。
【０００８】
このように、清掃性機能を高めるために開発されたブラシであっても、その使用方法、特にブラシの交換時期を見誤ってしまったために、本来の機能を著しく失ったり、さらには他の弊害をもたらしたりするなどの問題が生じていることから、ブラシまたは毛材自体に何らかのブラシ交換時期を示すインジケータ機能を付与する技術が求められていた。
【特許文献１】特許第３１４５２１３号公報
【特許文献２】特開２００１−１６９８２７号公報
【特許文献３】特開２００３−１６９７１８号公報
【特許文献４】特開２００３−２４５１３４号公報
【発明の開示】
【発明が解決しようとする課題】
【０００９】
本発明は、上記従来技術における問題点の解決を課題として検討した結果達成されたものある。すなわち、本発明は、優れた清掃性機能を有し、かつこの清掃性機能低下の度合いを的確に捉えてブラシの交換時期を容易に判断することができるインジケータ機能を備えたブラシ用毛材およびこのブラシ用毛材を使用したブラシの提供を目的とするものである。
【課題を解決するための手段】
【００１０】
上記目的を達成するために本発明によれば、合成樹脂モノフィラメントのカットブリッスルからなるブラシ用毛材であって、前記カットブリッスルはサイド・バイ・サイド型、多重並列型および放射状型から選ばれた複数の単位断面要素を有する複合構造からなり、下記の先割れ評価試験により評価した先割れ回数が１００００〜７００００回の範囲にあることを特徴とするブラシ用毛材が提供される。
【００１１】
［先割れ評価試験］一辺が２０ｍｍのＡＢＳ製板片に６４箇所の植毛孔を設けた基台を準備し、この基台の植毛孔に前記ブラシ用毛材を２０本／孔の密度で植毛してブラシを作成する。その後、幅０．５ｍｍかつ深さ１ｍｍの溝を６本／ｃｍ有する金属板の表面に前記ブラシを垂直荷重３５０ｇで押し当て、前記溝に対して垂直な方向に振幅４０ｍｍかつ速度１８０往復／分でブラシを摺動させ、植毛した全ブラシ用毛材の５０％以上の毛先に先割れが生じた時点の摺動回数を先割れ回数とする。
【００１２】
なお、本発明のブラシ用毛材においては、
前記カットブリッスルが２〜８個の単位断面要素を有すること、
前記単位断面要素のうち少なくとも１つが他の単位断面要素とは異なる合成樹脂からなること、
前記単位断面要素のうち少なくとも１つが他の単位断面要素とは異なる色に着色されていること、
前記カットブリッスルの少なくとも一端がテーパー状に形成されていること
がさらに好ましい条件として挙げられ、これらの条件を満たすことにより、ブラシに使用した場合にブラシの清掃性機能低下の度合いを的確に示し、かつブラシの交換時期を容易に判断することができる。
【００１３】
また、本発明のブラシ、特に歯ブラシは、上記ブラシ用毛材を毛材の少なくとも一部に使用したことを特徴とし、歯ブラシの不適切な使用による歯周病や歯肉炎などの病気を予防する効果が得られる。
【発明の効果】
【００１４】
本発明によれば下記に説明するとおり、従来のブラシと同等以上の優れた清掃性機能を有し、かつブラシの交換時期を適正に判断することができるインジケータ機能を有するブラシ用毛材およびブラシが得られる。
【発明を実施するための最良の形態】
【００１５】
以下、本発明について図面を参照しつつ具体的に説明する。
【００１６】
図１（イ）〜（ヘ）は本発明のブラシ用毛材を構成するブリッスルの数例を示す断面図、図２（Ａ）、（Ｂ）は本発明のブラシ用毛材の一例を示した拡大模式図、図３（Ａ）、（Ｂ）は本発明のブラシ用毛材の他の一例を示した拡大模式図である。
【００１７】
図１に示したように、本発明のブラシ用毛材を構成するブリッスルは、その断面形状がサイド・バイ・サイド型、縞状の多重並列型および放射状型から選ばれた複数の単位断面要素を有する複合構造からなっている。
【００１８】
ここで、図１（イ）は一般的なサイド・バイ・サイド型を示し、図１（ロ）は断面に複数（図面では３つ）の単位断面要素が平行な縞状に配置された多重並列型を示している。
【００１９】
また、図１（ハ）〜（ホ）は断面の中心から外周にかけて夫々三つ、四つおよび六つの単位断面要素が放射状に配置された放射状型を、図１（ヘ）は断面の中心に一つの単位断面要素を配しこの単位断面要素から外周にかけて六つの単位断面要素が放射状に配置された変形放射状型を示している。
【００２０】
本発明のブラシ用毛材は、このように複数の単位断面要素が配置された断面複合構造のブリッスルから構成することにより、これをブラシに植毛してある程度の使用した時に、ブリッスルの先端においてその毛先が各単位断面要素ごとに先割れし、ブラシの交換時期を知らせるインジケータ機能を有することを特徴とするものである。
【００２１】
すなわち、図２（Ａ）に示した本発明のブラシ用毛材の一例を示した拡大模式図において、通常時のブラシ用毛材１は、その一端ａを長手方向Ｐから見た場合の毛先２の状態が、四つの単位断面要素３が放射状型に配置された構造となっている。
【００２２】
しかるに、この毛材をブラシに植毛してある程度の使用した場合には、図１（Ｂ）に示したように、ブラシ用毛材１’の一端ａの毛先２’は、各単位断面要素３’が分割して先割れ状態となるため、これによりブラシの交換時期を知らせるインジケータ機能を発揮することになるのである。
【００２３】
また、図３（Ｃ）は、本発明のブラシ用毛材の他の一例であり、二つの単位断面要素３をサイド・バイ・サイド型に配置した断面複合構造のブリッスルの一端ａをテーパー状にしてテーパー部４となし、他の部分をストレート部５となした例の通常時を示すが、この場合にも図２の（Ｄ）に示したように、この毛材をブラシに植毛してある程度の使用した際には、ブラシ用毛材１’の一端ａの毛先２’は、各単位断面要素３’が分割した先割れ状態となり、これによりブラシの交換時期を知らせるインジケータ機能を発揮するようになっている。
【００２４】
そして、本発明のブラシ用毛材１においては、上記の先割れ評価試験により評価した先割れ回数が１００００〜７００００回、さらに好ましくは２００００〜５００００回の範囲にあることが重要である。
【００２５】
これは、先割れ回数が上記範囲を下まわる場合は、先割れが早く生じてしまうため、ブラシに使用した際には早い時点で清掃性機能の低下を招き、ブラシ交換時期を適切に判断することが難しくなり、逆に先割れ回数が上記範囲を上まわる場合は、ブラシが毛開きして清掃性機能の低下を招いているにも関わらずブラシ用毛材１が先割れしていないため、ブラシ交換時期を適切に判断することが難しくなるという理由によるものである。
【００２６】
なお、各単位断面要素３の数は、２つ以上の複数であれば特に限定されないが、多過ぎると先割れがし易くなる傾向にあり、適正なブラシ交換時期を示しにくくなることから、単位断面要素３の数は２〜８個であることが好ましく、更には２〜６個であることがより好ましい。
【００２７】
本発明のブラシ用毛材１を構成する合成樹脂素材については、溶融紡糸可能な合成樹脂であれば特に限定はされず、例えば、ポリカプラミド、ポリヘキサメチレンアジパミド、ポリヘキサメチレンセバカミド（以下、ナイロン６１０と言う）、ポリヘキサメチレンドデカミド、ナイロン４６、ナイロンＭＤＸ６、ナイロン１１、ナイロン１２、ポリ（カプラミド／ヘキサメチレンアジパミド）共重合体およびポリ（カプラミド／ラウラミド）共重合体などのポリアミド系樹脂、ポリエチレンテレフタレート（以下、ＰＥＴと言う）、ポリブチレンテレフタレート（以下、ＰＢＴと言う）、ポリエチレンナフタレート、ポリプロピレンテレフタレート（以下、ＰＴＴと言う）、ポリメチレンナフタレート、ポリブチレンナフタレート、ポリプロピレンナフタレートなどのポリエステル系樹脂、ポリフェニレンサルファイド、ポリフッ化ビニリデン、エチレン・テトラフルオロエチレン共重合体、ポリテトラフルオロエチレン、テトラフルオロエチレン・ヘキサフルオロプロピレン共重合体、ポリテトラフルオロエチレン・パーフルオロアルキルビニルエーテル共重合体、テトラフルオロエチレン・フッ化ビニリデン共重合体、テトラフルオロエチレン・ヘキサフルオロプロピレン・フッ化ビニリデン共重合体、ポリクロロトリフルオロエチレン、エチレンクロライド・テトラフルオロエチレン共重合体、フルオロビニルエーテルなどのフッ素系樹脂、ポリオレフィン系樹脂などから１種類または２種類以上を適宜選択して使用することができる。
【００２８】
なかでも強伸度、収縮率および屈曲回復性などの各種物性を均衡に兼ね備えたブラシ用毛材が得られやすいことから、ポリアミド系樹脂、ポリエステル系樹脂およびフッ素系樹脂から選ばれた少なくとも一種の使用がより好ましい。
【００２９】
また、本発明のブラシ用毛材１は、これをブラシに植毛してある程度の使用した時に、その毛先が先割れしてブラシ交換時期を示すインジケータ機能を発揮しなければならない。そのため、単位断面要素３が全て同じ合成樹脂からなる場合は、単位断面要素３の数を上記範囲に適宜選択することによって先割れする時期をコントロールし、より適正なブラシ交換時期を示すことができるが、合成樹脂同士の相溶性の違いを利用して、各単位断面要素３のうち少なくとも１つを他の単位断面要素とは異なる合成樹脂にすることによっても、先割れする時期をコントロールし、より適正なブラシ交換時期を示すことができる。
【００３０】
例えば、異なる合成樹脂同士の組合せとしては、ポリエステル系樹脂とポリアミド系樹脂、ポリエステル系樹脂とフッ素系樹脂、ポリアミド系樹脂とフッ素系樹脂などを挙げることができる。
【００３１】
また、本発明のブラシ用毛材１の毛先をテーパー状に加工する場合においては、アルカリ液による化学的処理法で容易に加工することができることから、ポリエステル系樹脂の使用が好ましく、同じポリエステル系樹脂であっても、ＰＢＴとＰＥＴ、ＰＢＴとＰＴＴ、ＰＥＴとＰＴＴというように、単位断面要素３同士で異なるポリエステル系樹脂を使用することができる。
【００３２】
さらに、本発明のブラシ用毛材１においては、各単位断面要素３のうち少なくとも１つが他の単位断面要素とは異なる色になっている場合には、先割れした際の状態が目視で確認しやすいために好ましい。なお、色の選択については、使用するブラシの種類に応じて適宜選択することができ、特に限定はされない。
【００３３】
さらにまた、本発明のブラシ用毛材１には、本発明の効果を阻害しない範囲であれば、その目的に応じて、各種無機微粒子、各種金属微粒子および架橋高分子粒子などの粒子類のほか、公知の抗酸化剤、耐光剤、耐侯剤、イオン交換剤、着色防止剤、耐電防止剤、各種着色剤、ワックス類、シリコーンオイル、各種界面活性剤および各種強化繊維類などを適宜任意に添加することも可能である。
【００３４】
本発明のブラシ用毛材１の断面形状については特に限定はなく、図３の（イ）〜（ヘ）に示すような複合構造を有すれば問題はなく、例えば丸形、三角形、四角形、五角形などといった多角形、三葉形、五葉形、八葉形などの多葉形、楕円形、トラック形などの扁平形、星形であってもよい。
【００３５】
本発明のブラシ用毛材１の製造方法には特に特殊な方法を用いる必要なく、例えば公知の複合紡糸機と複合口金を使用して合成樹脂モノフィラメントを紡糸し、得られた合成樹脂モノフィラメントを必要な長さにカットしてカットブリッスルを作る方法が挙げられる。
【００３６】
また得られたカットブリッスルをアルカリ液などの薬液に浸漬して毛先を化学処理すれば、その少なくとも一端をテーパー状に加工することができる。
【００３７】
また、本発明のブラシ用毛材１には、例えば、銀イオンを担持させたリン酸塩系、ゼオライト系、ヒドロキシアパタイト系抗菌剤のほか、酸化亜鉛、硫酸亜鉛、塩化亜鉛、リン酸亜鉛、硝酸亜鉛、炭酸亜鉛、酢酸亜鉛、シュウ酸亜鉛、クエン酸亜鉛、フマル産亜鉛、ギ酸亜鉛などの亜鉛化合物、ベンゼトニウム、ベンザルコニウム、セチルピリジウム、クロルヘキシジンなどのカチオン系抗菌剤、エピガロカテキン、エピガロカテキンガレート、エピカテキン、エピカテキンガレートなどの茶カテキン、アナターゼ型またはルチル型二酸化チタンなどの光触媒を付着および／または含有せしめて抗菌効果を付与することもできる。
【００３８】
こうして得られたブラシ用毛材１は、ブラシの清掃性機能低下の度合いを的確に示すインジケータ機能を兼ね備えていることから、歯ブラシ、ボディブラシ、クリーニングブラシ、工業用ブラシなど清掃用途に使用した場合には、これらブラシの交換時期を的確かつ容易に判断することができる。
【００３９】
特に、歯ブラシの場合は、毛材が摩耗した状態や毛開きした状態で使用を続けると、清掃性機能が著しく低下するために歯周病や歯肉炎などの病気を招く恐れがある。そのため、清掃性機能と適正なブラシ交換時期を示すインジケータ機能を有する本発明のブラシ用毛材を歯ブラシに使用した場合には、こうした病気を未然に防ぐことが可能であることから、極めて有用性が高いものであると言える。
【実施例】
【００４０】
以下、本発明のブラシ用毛材について、実施例を挙げて詳細に説明するが、本発明のブラシ用毛材はその要旨を超えない限り以下の実施例に何ら限定されるものではない。
【００４１】
なお、実施例および比較例におけるブラシの実用評価については以下の通り行ったものである。
【００４２】
［先割れ評価試験］
上記のとおり行った。
【００４３】
［清掃性評価試験］
１辺４０ｍｍ、高さ１０ｍｍのアクリル板の表面に幅０．５ｍｍ、深さ１ｍｍの溝を６本／ｃｍを設け、このアクリル板の表面に染色液を均一に塗布して１時間乾燥させた。
【００４４】
その後、先割れ評価試験前のブラシ（Ｉ）と先割れ評価試験後のブラシ（II）を使用してアクリル板の表面を３分間ブラッシングして染色液の除去面積を求めた。
【００４５】
そして、ブラシ（Ｉ）およびブラシ（II）による染色液の除去面積をそれぞれＳ１およびＳ２とした際のＳ２／Ｓ１の値を清掃性評価値とした。なお、この値が０．４〜０．６の範囲にある時にブラシ交換時期になったと判断する。
【００４６】
また、ブラッシング条件は、先割れ評価試験と同じ、ブラシの垂直荷重３５０ｇ、ブラッシングの振幅４０ｍｍ、振幅速度１８０往復／分で行った。
【００４７】
さらに、下記比較例で使用した先割れしない毛材については、先割れ評価試験で４００００万回摺動した後のものをブラシ（II）とした。
【００４８】
［ブラシ交換時期の判断容易性］
２０名の被験者に先割れ評価試験後のブラシについて、毛材の先割れ状態または毛材の状態から、当ブラシが交換時期になったか否かの判断を次の３つの数値で評価してもらった。そして、２０名分の数値を平均し、その値を判断容易性の評価値とした。この値が小さいほど判断がし易いことを示す。
１・・・容易に判断することができた、
２・・・大体判断することができた、
３・・・よく判断することができなかった。
【００４９】
〔実施例１〕
ＰＢＴ（東レ（株）製  トレコン１２００Ｓ、以下同じ）を複合紡糸機に供給して溶融混練した後、複合口金から押出し、さらに冷却固化、加熱延伸および熱処理を施して、図１（イ）と同じサイド・バイ・サイド型の複合構造を有する合成樹脂モノフィラメントを製糸した。
【００５０】
そして、得られた合成樹脂モノフィラメントを長さ３０ｍｍにカットしてカットブリッスルにし、これをブラシ用毛材として使用した。
【００５１】
〔実施例２〕
複合構造を図１（ニ）と同じ放射状型にしたこと以外は、実施例１と同じ方法でブラシ用毛材を得た。
【００５２】
〔実施例３〕
ＰＢＴとナイロン６１０（東レ（株）製  ＣＭ２００１、以下同じ）とを複合紡糸機に供給して溶融混練した後、複合口金からこれら合成樹脂を共押出し、さらに冷却固化、加熱延伸および熱処理を施して、単位断面要素がそれぞれＰＢＴとナイロン６１０からなり、図１（イ）と同じサイド・バイ・サイド型の複合構造を有する合成樹脂モノフィラメントを製糸した。
【００５３】
そして、得られた合成樹脂モノフィラメントを長さ３０ｍｍにカットしてカットブリッスルにし、これをブラシ用毛材として使用した。
【００５４】
〔実施例４〕
実施例１で得られたカットブリッスルをアルカリ液に浸漬して毛先をテーパー状に加工し、これをブラシ用毛材として使用した。
【００５５】
〔実施例５〕
ナイロン６１０の代わりにＰＥＴ（東レ（株）製  Ｔ７０１Ｔ）を使用して、実施例３と同じ方法でカットブリッスルを作製した。その後得られたカットブリッスルをアルカリ液に浸漬して毛先をテーパー状に加工し、これをブラシ用毛材として使用した。
【００５６】
〔実施例６〕
ＰＢＴとナイロン６１０とを複合紡糸機に供給して溶融混練した後、複合口金からこれら合成樹脂を共押出し、さらに冷却固化、加熱延伸および熱処理を施して、２つの単位断面要素がＰＢＴ、１つの単位断面要素がナイロン６１０からなり、図１（ロ）と同じ縞状の多重並列型の複合構造を有する合成樹脂モノフィラメントを製糸した。
【００５７】
そして、得られた合成樹脂モノフィラメントを長さ３０ｍｍにカットしてカットブリッスルにし、これをブラシ用毛材として使用した。
【００５８】
〔実施例７〕
ＰＢＴに青の顔料を練り込み、青のＰＢＴマスターバッチを作製した。そして、ＰＢＴおよびＰＢＴとＰＢＴマスターバッチとの混合物をそれぞれ複合紡糸機に供給して溶融混練した後、複合口金からこれら合成樹脂を共押出し、さらに冷却固化、加熱延伸および熱処理を施して、単位断面要素のうち片方が青色に着色し、図１（イ）と同じサイド・バイ・サイド型の複合構造を有する合成樹脂モノフィラメントを製糸した。
【００５９】
そして、得られた合成樹脂モノフィラメントを長さ３０ｍｍにカットしてカットブリッスルにし、さらにアルカリ液に浸漬して毛先をテーパー状に加工し、これをブラシ用毛材として使用した。
【００６０】
〔比較例１〕
ナイロン６１０を溶融紡糸機に供給し、溶融紡糸機内で溶融混練した後、紡糸口金から合成樹脂を押出し、さらに冷却固化、加熱延伸および熱処理を施して、単一構造の合成樹脂モノフィラメントを製糸した。
【００６１】
そして、得られた合成樹脂モノフィラメントを長さ３０ｍｍにカットしてカットブリッスルにし、これをブラシ用毛材として使用した。
【００６２】
〔比較例２〕
ＰＢＴを溶融紡糸機に供給して溶融混練した後、紡糸口金から合成樹脂を押出し、さらに冷却固化、加熱延伸および熱処理を施して、単一構造の合成樹脂モノフィラメントを製糸した。
【００６３】
そして、得られた合成樹脂モノフィラメントを長さ３０ｍｍにカットしてカットブリッスルにし、さらにカットブリッスルを水酸化ナトリウム溶液に浸漬して、毛先をテーパー状に加工し、これをブラシ用毛材として使用した。
【００６４】
〔比較例３〕
ナイロン６１０に青の顔料を練り込み、青のナイロン６１０マスターバッチを作製した。そしてＰＢＴおよびナイロン６１０とナイロン６１０マスターバッチとの混合物を複合紡糸機に供給して溶融混練した後、複合口金からこれら合成樹脂を共押出し、さらに冷却固化、加熱延伸および熱処理を施して、鞘成分がＰＢＴで芯成分がナイロン６１０からなる芯鞘複合構造の成樹脂モノフィラメントを製糸した。
【００６５】
そして、得られた合成樹脂モノフィラメントを長さ３０ｍｍにカットしてカットブリッスルにし、さらにカットブリッスルを水酸化ナトリウム溶液に浸漬して芯成分を毛先から露出させ、露出した芯部が青色に着色したブラシ用毛材を作製した。
【００６６】
以上、得られたブラシ用毛材の評価結果を表１に示す。
【００６７】
【表１】
2009028399.tif 000003
【００６８】
表１の結果から明らかなように、本発明のブラシ用毛材（実施例１〜７）は、従来のブラシ用毛材（比較例１〜２）に比べて、ブラシに使用した場合にブラシの清掃性機能低下の度合いを的確に示し、かつブラシの交換時期を容易に判断することができるものであることが分かる。
【００６９】
また、本発明のブラシ用毛材においては、単位断面要素の数や使用する合成樹脂の組合せ、さらには複合構造の形態の違いによって先割れのし易さが異なることから、使用するブラシの種類によってブラシの交換時期を適宜コントロールすることが可能である。
【００７０】
さらに、実施例７に示すように、単位断面要素のうち少なくとも１つに色を着色させることにより、ブラシ交換時期をさらに容易に判断することができる。
【産業上の利用可能性】
【００７１】
本発明のブラシ用毛材は、優れた清掃性機能を有すると共に、ブラシの清掃性機能低下の度合いを的確に示すインジケータ機能を備えていることから、歯ブラシ、ボディブラシ、クリーニングブラシ、工業用ブラシなど清掃用途に使用した場合には、これらブラシの交換時期を的確かつ容易に判断することができる。
【００７２】
特に、歯ブラシの場合は、毛材が摩耗した状態や毛開きした状態で使用を続けると、清掃性機能が著しく低下するために歯周病や歯肉炎などの病気を招く恐れがあるが、本発明のブラシ用毛材は、ブラシの清掃性機能低下の度合いを的確に示すインジケータ機能を兼ね備えているため、歯ブラシに使用した場合には、より好ましくその効果を発揮することができる。
【図面の簡単な説明】
【００７３】
【図１】図１（イ）〜（ヘ）は本発明のブラシ用毛材を構成するブリッスルの数例を示す断面図である。
【図２】図２（Ａ）、（Ｂ）は本発明のブラシ用毛材の一例を示した拡大模式図である。
【図３】図３（Ａ）、（Ｂ）は本発明のブラシ用毛材の他の一例を示した拡大模式図である。
【符号の説明】
【００７４】
１  ブラシ用毛材
２  長手方向Ｐから見た場合の毛先の状態図
３  単位断面要素
４  テーパー部
５  ストレート部
ａ  ブラシ用毛材１の一端    
Ｐ  ブラシ用毛材１の長手方向
【図１】
2009028399.tif 000004
【図２】
2009028399.tif 000005
【図３】
2009028399.tif 000006